(57)【要約】【課題】配管温度センサーを冷媒配管に取り付けた後、配管温度センサー取り付け部品の外側から断熱材を貼るといった方策をとることなく、配管温度センサー取り付け部品を断熱できる配管温度センサー取り付け部品を提供すること。【解決手段】亜鉛鋼板などの弾性がある薄金属板８とポリエチレンフォームなどの断熱材９をあらかじめ貼り合わせた断熱鋼板１０から形成され、空気調和機の冷媒配管１５の側面に円筒形の配管温度センサー１１を挟みながら固定する、断面が略Ｕ字型の配管温度センサー取り付け部品とした。【選択図】図１
2007078203.tif 000002
【特許請求の範囲】
【請求項１】
弾性がある薄金属板とポリエチレンフォームなどの断熱材をあらかじめ貼り合わせた断熱鋼板から形成され、断面が略Ｕ字型を成して空気調和機の冷媒配管の側面に円筒形の配管温度センサーを挟みながら固定することを特徴とする配管温度センサー取り付け部品。
【請求項２】
薄金属板は配管温度センサー側に、断熱材は外側になるよう構成したことを特徴とする請求項１記載の配管温度センサー取り付け部品。
【発明の詳細な説明】
【技術分野】
【０００１】
本発明は、配管温度センサー取り付け部品に関し、特に空気調和機の冷媒配管の側面に円筒形の配管温度センサーを挟みながら固定する、配管温度センサー取り付け部品に関するものである。
【背景技術】
【０００２】
従来、この種の配管温度センサー取り付け部品は、空気調和機の冷媒配管の側面に円筒形の配管温度センサーを挟みながら固定する、断面が略Ｕ字型の配管温度センサー取り付け部品があった。（例えば、特許文献１参照）。
【０００３】
図３は、特許文献１に記載された、配管温度センサー取り付け部品の斜視図、図４は、配管温度センサー取り付け部品で配管温度センサーを冷媒配管に固定した状態を示す断面図である。図３、図４のように、従来の配管温度センサー取り付け部品１は、弾性のある薄金属板から形成され、断面は略Ｕ字型で、配管温度センサー２の挿入部３と、先端に外開きの爪４を設けた冷媒配管固定部５からなり、冷媒配管６の側面に配管温度センサー２を挟みながら固定し、冷媒配管６の温度を測定することで、空気調和機を制御する。
【特許文献１】特開平１１−３７６１８号公報
【発明の開示】
【発明が解決しようとする課題】
【０００４】
しかしながら、前記従来の構成では、配管温度センサー取り付け部品は、薄金属板から形成されているため、周囲の空気と接触する面積が大きく、周囲の空気温度に影響を受け易く、特に冷媒配管の温度と周囲の空気温度の差が大きい時には、配管温度センサーが冷媒配管の温度正確に検知しないといった問題があった。このような問題を防ぐために、配管温度センサーを冷媒配管に取り付けた後、配管温度センサー取り付け部品の外側から断熱材を貼るといった方策がとられることが多い。しかし、部品や工数が増える上、断熱材が剥がれ易いといった問題があった。
【０００５】
本発明は、前記従来の課題を解決するもので、配管温度センサーを冷媒配管に取り付けた後、配管温度センサー取り付け部品の外側から断熱材を貼るといった対策をとることなく、配管温度センサー取り付け部品を断熱でき、実際の冷媒配管の温度と配管温度センサーが検知する温度のずれを少なくできる配管温度センサー取り付け部品を提供することを目的とする。
【課題を解決するための手段】
【０００６】
前記従来の課題を解決するために、本発明の配管温度センサー取り付け部品は、弾性がある薄金属板とポリエチレンフォームなどの断熱材をあらかじめ貼り合わせた断熱鋼板から形成され、空気調和機の冷媒配管の側面に円筒形の配管温度センサーを挟みながら固定する、断面が略Ｕ字型の配管温度センサー取り付け部品としたものである。
【０００７】
これによって、配管温度センサーを冷媒配管に取り付けた後、配管温度センサー取り付け部品の外側から断熱材を貼るといった方策をとることなく、配管温度センサー取り付け部品を断熱でき、配管温度センサーと冷媒配管の温度のずれを少なくできる。
【発明の効果】
【０００８】
本発明の配管温度センサー取り付け部品は、後から断熱材を貼るといった方策が不要で、部品点数を削減でき、工数も削減でき、なおかつ、断熱材が薄金属板から剥がれること
もないので、信頼性の高い配管温度センサー取り付け部品が提供でき、空気調和機の制御における精度が向上する。
【発明を実施するための最良の形態】
【０００９】
第１の発明の配管温度センサー取り付け部品は、弾性がある薄金属板とポリエチレンフォームなどの断熱材をあらかじめ貼り合わせた断熱鋼板から形成され、空気調和機の冷媒配管の側面に円筒形の配管温度センサーを挟みながら固定する、断面が略Ｕ字型の配管温度センサー取り付け部品としたものである。これによって、配管温度センサーを冷媒配管に取り付けた後、配管温度センサー取り付け部品の外側から断熱材を貼るといった対策をとることなく、配管温度センサー取り付け部品を断熱でき、配管温度センサーと冷媒配管の温度のずれを少なくできる。
【００１０】
第２の発明は、特に、第１の発明の配管温度センサー取り付け部品を、薄金属板は配管温度センサー側に、断熱材は外側になるよう加工したことを特徴としたものである。これにより、伝熱性が高い薄金属板が、冷媒配管の温度を配管温度センサーに伝えるので、配管温度センサーの検知精度が向上し、なおかつ、外側を断熱材とすることで、周囲の空気との伝熱を防げるので、配管温度センサーの検知精度がさらに向上する。
【００１１】
（実施の形態１）
図１は、本発明の実施の形態１における配管温度センサー取り付け部品の斜視図、図２は、配管温度センサー取り付け部品で配管温度センサーを冷媒配管に固定した状態を示す断面図である。
【００１２】
図１、図２において、配管温度センサー取り付け部品７は、亜鉛鋼板などの弾性がある薄金属板８とポリエチレンフォームなどの断熱材９をあらかじめ貼り合わせた断熱鋼板１０から形成されている。断熱鋼板１０は、亜鉛鋼板などの薄金属板とポリエチレンフォームなどの断熱材をあらかじめ接着剤などで貼り合わせた状態で販売されている複合材で、そのままでプレスや切断といった後加工が可能で、断熱材の金型が必要なく、部品点数の削減や工数の削減が可能であることから、断熱の必要な空気調和機の構造体などとして広く利用されている。また、配管温度センサー取り付け部品７は、断面は略Ｕ字型で、配管温度センサー１１の挿入部１２と、先端に外開きの爪１３を設けた冷媒配管固定部１４からなり、冷媒配管１５の側面に配管温度センサー１１を挟みながら固定する。
【００１３】
以上のように構成された配管温度センサー取り付け部品について、以下その動作、作用を説明する。
【００１４】
空気調和機を制御するために、冷媒配管の温度を測定することが多いが、円筒形の配管温度センサーが良く用いられる。配管温度センサー１１を冷媒配管１５の側面に固定するには、まず、挿入部１２に配管温度センサー１１を挿入し、外に開いた爪１３を冷媒配管１５に押し付け、冷媒配管固定部１４が冷媒配管１５を挟むように押し込み、固定する。すると、配管温度センサー１１が冷媒配管１５に密着し、冷媒配管１５の温度を測定できる、このとき、配管温度センサー取り付け部品７は、亜鉛鋼板などの薄金属板８とポリエチレンフォームなどの断熱材９をあらかじめ貼り合わせた断熱鋼板１０から形成されているので、後から断熱材を貼るといった対策をとらなくても、ポリエチレンフォームなどの断熱材９が周囲の空気との伝熱を遮断し、配管温度センサー１１と冷媒配管１５の温度のずれを少なくできる。この作用は、特に冷媒配管１５の温度と周囲の空気温度の差が大きい時ほど有効である。
【００１５】
また、図１、図２のように、亜鉛鋼板などの薄金属板８は配管温度センサー１１の側に、ポリエチレンフォームなどの断熱材９は外側になるように取り付けることで、熱伝導性
が高い亜鉛鋼板などの薄金属板８が、配管温度センサー１１と冷媒配管１５の温度を伝えるので、配管温度センサー１１の検知精度が向上し、なおかつ、外側をポリエチレンフォームなどの断熱材９とすることで、周囲の空気との伝熱を遮断できるので、配管温度センサー１１の検知精度がさらに向上する。
【００１６】
このように、亜鉛鋼板などの薄金属板８とポリエチレンフォームなどの断熱材９をあらかじめ貼り合わせた断熱鋼板１０から形成されているので、後から断熱材を貼るといった対策が不要で、部品点数を削減でき、工数も削減でき、なおかつ、断熱材が薄金属板から剥がれることもないので、信頼性の高い配管温度センサー取り付け部品が提供でき、空気調和機の制御における精度が向上する。
【００１７】
なお、薄金属板８については亜鉛鋼板に限るものではなく、銅板など熱伝導性が高く、弾性があるものであればよい。
【産業上の利用可能性】
【００１８】
以上のように、本発明にかかる配管温度センサー取り付け部品は、亜鉛鋼板などの薄金属板とポリエチレンフォームなどの断熱材をあらかじめ貼り合わせた断熱鋼板から形成され、空気調和機の冷媒配管の側面に円筒形の配管温度センサーを挟みながら固定することを特徴としているので、空気調和機以外にも、配管の温度を配管温度センサーで検知する必要のある他の機器にも適用できる。
【図面の簡単な説明】
【００１９】
【図１】本発明の実施の形態における配管温度センサー取り付け部品の斜視図
【図２】本発明の実施の形態における配管温度センサー取り付け部品で配管温度センサーを冷媒配管に固定した状態を示す断面図
【図３】従来の配管温度センサー取り付け部品の斜視図
【図４】従来の配管温度センサー取り付け部品で配管温度センサーを冷媒配管に固定した状態を示す断面図
【符号の説明】
【００２０】
７  配管温度センサー取り付け部品
８  薄金属板
９  断熱材
１０  断熱鋼板
１１  配管温度センサー
１５  配管
【図１】
2007078203.tif 000003
【図２】
2007078203.tif 000004
【図３】
2007078203.tif 000005
【図４】
2007078203.tif 000006